(57)【要約】      （修正有）【課題】室内栽培において安価で安全、なおかつ季節に関係なく野菜及び花などを栽培でき、又夜間の街路の電力を使用することなく照明することが可能となる発光照射装置を提供する。【解決手段】アポタンパク質と発光気質とを結合した化学発光種であるクロモフォア２３に活性酸素種（ＲＯＳ）２４を作用させることで容易に発光させ、この発光された光を光照射装置３０により原色光に分けて、この分けた光を発行照射装置１０により重ね合わせて白色光を得ることで、人工光合成や街路の照明を容易に実施する。【選択図】図１
0003191261.tif 000002
【実用新案登録請求の範囲】
【請求項１】
任意に並んだ単数タンパク質からなる化学又は複数の発光種、同発光種から発する任意の光源を三つの原色ＲＢＧへの分光によるＲＢＧ各光線を抽出する光学的手段およびこれらそれぞれの原色光ＲＧＢを重ね合わせにより、光白色光を得てこれを照射する事を特徴とする発光照射装置。
【考案の詳細な説明】
【技術分野】
【０００１】この考案はクロモフォアを酸化させ発光し、これを光操作部分によって三原色光に分光抽出して、それぞれの光を重ね合わせた白色光を外部の対象に照射する装置に関する。
【背景技術】
【０００２】菜園などの植物に容易に人工光合成を施す手段が提供されていないと共に、夜間の街路に節約型の照明手段が提供されていないのが現状である。この考案はこれの改善を図るものである。
【参考文献】
【０００３】久世：２０１３年度  日本農芸化学会  受賞講演要旨集
【考案が解決しようとする課題】
【０００４】従来、植物の人工光合成は安価に容易な手段で実行出来る物がなかった。従って確実に得られる発光手段を提供し、これにより光合成を確実に出来る人工的手段が要請されていた。又、夜間の街路の照明は電力に依存しているため省エネルギーという社会的要請に応えられていない。
【課題を解決するための手段】
【０００５】この考案は、アポタンパク質と発光気質とを結合した化学発光種に活性酸素種を作用させることで容易に発光させ、この発光を原色光に分けてこれらを重ね合わせた白色光を得ることで、人工光合成や街路の照明を容易に実施する手段を提供する。
【考案の効果】
【０００６】安易な白色照射装置であるから室内栽培において安価で安全、なおかつ季節に関係なく野菜及び花などを栽培できる。又夜間の街路の電力を使用することなく照明することが可能となる大きな効果がある。
【実施例】
【０００７】図１，２，３を参照しながら発光部分に任意の一例を採用した発光照射装置１０の説明をする。光照射装置１０は発光部分２０同発光部分２０からの操作する光操作装置３０及び同操作装置３０から出力された光を出力照射する照射部分４０から構成される。発光部分２０は発光タンパク質２１と発光気質２２とが結合してクロモフォア２３を含みこれらはＲＯＳ２４（活性酸素種）ＲＯＳの活性化によって、クロモフォアが酸化され発光する。フッ素化ＤＣＬはシンプレクチンの３９０番目のシステイン残基と安定なクロモフォアを不可逆的に生成し発光する。操作装置３０は発光部分２０から発光された光を分光し、回析して三つの原色光ＲＧＢを抽出する。例えば回析格子３１を備える照射部分４０は回析格子３１から出力された三つの三原色光ＲＧＢを重ね合わせて白色光を作り、これを外部の対象物に向けて照射する。
【図面の簡単な説明】
【０００８】
【図１】発光照射装置の構成を示すブロック線図
【図２】クロモフォア
【図３】発光タンパク質における発光機構の概略図
【符号の説明】
【０００９】１０    発光照射装置
２０    発光部分
２１    発光タンパク質
２２    発光気質
２３    クロモフォア
２４    活性酸素種（ＲＯＳ）
３１    回折格子
４０    照射部分
【図１】
0003191261.tif 000003
【図２】
0003191261.tif 000004
【図３】
0003191261.tif 000005
【手続補正書】
【提出日】平成25年12月27日(2013.12.27)
【手続補正１】
【補正対象書類名】実用新案登録請求の範囲
【補正対象項目名】全文
【補正方法】変更
【補正の内容】
【実用新案登録請求の範囲】
【請求項１】
単数又は複数のタンパク質からなる化学発光種、同発光種から発する任意の光源を３つの原色ＲＧＢへの分光によるＲＧＢ各光線を抽出する原色光光学的手段およびこれらそれぞれの原色光ＲＧＢを重ね合わせにより白色光を得てこれを照射する事を特徴とする発光照射装置。
【請求項２】
発光装置から発せられる発光を解析格子等の分光装置により分光し、その中から３つの原色光ＲＧＢを加法混色法より、即ち暗室内部の受光面に投射することでこれら三原色の混合によって白色光を得て同暗室から白色光を取り出すことを特徴とする三原色光の重ね合わせにより白色光を得る白色照射装置。
【手続補正２】
【補正対象書類名】明細書
【補正対象項目名】全文
【補正方法】変更
【補正の内容】
【考案の詳細な説明】
【技術分野】この考案はクロモフォアを酸化させ発光し、これを光操作部分によって、三原色光を分光抽出して、それぞれの光を重ね合わせた白色光を外部の対象に照射する装置に関する。
【背景技術】菜園などの植物に容易に人工光合成を施す手段が提供されていないと共に、夜間の街路に節約型の照明手段が提供されていないのが現状である。この考案はこれの改善を図るものである。
【参考文献】
久世：２０１３年度  日本農芸化学会  受章講演要旨集
【考案が解決しようとする課題】
従来、植物の人工光合成は安価に容易な手段で実行できるものがなかった。従って確実に得られる発光手段を提供し、これにより光合成を確実に出来る人工的手段が要請されていた。又、夜間の街路の照明は電力に依存しているため省エネルギーという社会的要請に応えられていない。
【課題を解決するための手段】
この考案は、アポタンパク質と発光気質とを結合した化学発光種に活性酸素種を作用させることで容易に発光させ、この発光を原色光に分けてこれらを重ね合わせた白色光を得ることで、人工光合成や街路の照明を容易に実施する手段を提供する。
【考案の効果】
安易な白色装置であるから室内栽培において安価で安全、なおかつ季節に関係なく野菜及び花などを栽培できる。又夜間の街路の電力を使用することなく照明することが可能となる大きな効果がある。
【実施例】図１から図４を参照にしながら発光照射装置１０の説明をする光照射装置１０は発光部分２０同発光部分２０からの操作する光操作装置３０及び同装置装置３０から出力された光を出力照射する光重ね合わせ装置４０から構成される。発光部分２０は発光タンパク質２１と発光気質２２とが結合してクロモフォア２３を含みこれらはＲＯＳ２４（活性酸素種）ＲＯＳの活性化によって、クロモフォアが酸化され発光する。フッ素化ＤＣＬはシンプレクチンの３９０番目のシステイン残基と安定なクロモフォアを不可逆的に生成し発光する。操作装置３０は発光部分２０から発光された光を分光し、回析して３つの原色光ＲＧＢを抽出する。例えば回析格子３１を備える照射部分４０は回析格子３１から出力された３つの三原色光ＲＧＢを重ね合わせて白色光を作り、これを外部の対象物に向けて照射する。
【図面の簡単な説明】
【図１】発光照射装置
【図２】クロモフォア
【図３】発光タンパク質における発光機構の概略図
【図４】光重ね合わせ装置
【符号の説明】１０  発光照射装置
２０  発光部分
２１  発光タンパク質
２２  発光気質
２３  クロモフォア
２４  活性酸素種
３０  光照射装置
３１  回折格子
４０  光重ね合わせ装置
【手続補正３】
【補正対象書類名】図面
【補正対象項目名】図４
【補正方法】追加
【補正の内容】
【図４】
0003191261.tif 000006
【手続補正書】
【提出日】平成26年3月18日(2014.3.18)
【手続補正１】
【補正対象書類名】実用新案登録請求の範囲
【補正対象項目名】全文
【補正方法】変更
【補正の内容】
【実用新案登録請求の範囲】
【請求項１】
単数又は複数のタンパク質からなる化学発光種、および、同発光種から発する任意の光源を３つの原色ＲＧＢへの分光によるＲＧＢ各光線を抽出する原色光光学的手段を有し、それぞれの原色光ＲＧＢを重ね合わせることにより白色光を得てこれを照射する事を特徴とする発光照射装置。
【請求項２】
発光装置から発せられる発光を回折格子等の分光装置により分光し、その中から３つの原色光ＲＧＢを加法混色法より、即ち暗室内部の受光面に投射することでこれら三原色の混合によって白色光を得て同暗室から白色光を取り出すことを特徴とする請求項１記載の発光照射装置。